(57)【要約】【課題】特別始動口への入賞に基づく動作確認が容易な弾球遊技機を提供すること。【解決手段】特別始動口装置１を、外周部に遊技球が通る入口１５を設けた入賞ケース２と、入賞ケース２の内側で入口１５に隣接して回動する誘導体４とで構成すると共に、入賞ケース２の内側領域であって誘導体４の半径方向外側領域に遊技球が入る特別始動口５を露出開口させ、誘導体４で受止めた遊技球６を誘導体４の回動により特別始動口５まで誘導するようにした。【選択図】  図１
2004181007.tif 000002
【特許請求の範囲】
【請求項１】
大入賞口装置が作動可能な利益状態において、特別始動口装置の遊技球検出結果に基づき前記大入賞口装置を作動させ、遊技球が前記大入賞口装置へ入賞し易い状態を所定期間生ぜしめる弾球遊技機において、
前記特別始動口装置を、外周部に遊技球が通る入口を設けた入賞ケースと、前記入賞ケースの内側で前記入口に隣接して回動する誘導体とで構成すると共に、前記入賞ケースの内側領域であって前記誘導体の半径方向外側領域に遊技球が入る特別始動口を露出開口させ、前記誘導体で受止めた遊技球を前記誘導体の回動により前記特別始動口まで誘導するようにした弾球遊技機。
【請求項２】
前記入口を前記入賞ケースの上部に形成すると共に、前記特別始動口を前記入賞ケースの内側領域下部に形成し、前記入口から入った遊技球を前記誘導体で受止めて前記誘導体の回動により前記特別始動口直上位置まで誘導するようにした請求項１記載の弾球遊技機。
【請求項３】
前記入口を前記入賞ケースの上部に形成すると共に、前記特別始動口を前記入賞ケースの内側領域であって前記誘導体の側方に形成し、前記入口から入った遊技球を前記誘導体で受止めて前記誘導体の回動により前記特別始動口側方位置まで誘導するようにした請求項１記載の弾球遊技機。
【請求項４】
前記特別始動口を前記誘導体の外周部に臨んで上向き開口させると共に、前記特別始動口と前記誘導体との間に遊技球の直径とほぼ等しい間隔を設けた請求項１〜３のいずれかに記載の弾球遊技機。
【発明の詳細な説明】
【０００１】
【発明の属する技術分野】
本発明は、パチンコ機、アレンジボール機、雀球遊技機等の弾球遊技機に関し、より詳しくは、いわゆる第３種始動口と呼ばれる特別始動口装置を備えた弾球遊技機に関するものである。
【０００２】
【従来の技術】
弾球遊技機の中には、いわゆる権利物と呼ばれる第３種パチンコ機がある。この種の弾球遊技機は、本発明の実施形態を示す図５のように、遊技球が特別装置３６の内部に設けられた、いわゆるＶゾーンと呼ばれる特別装置作動領域（図示略）を通過したときに遊技者に有利な利益状態を生ぜしめ、該利益状態において、特別始動口装置１に遊技球が入賞する度に大入賞口装置４０を所定期間作動させることを所定回数繰り返し、遊技者に多大な利益を還元するようになっている。（例えば下記特許文献１参照）。
【０００３】
従来の弾球遊技機は、例えば図１０のように、誘導体５１が矢印Ｅの向きに回動するのに伴って停留部５２に留まった遊技球を誘導体５１の切欠き部５３に導入し、入賞ケース５４の内周部と切欠き部５３で遊技球を保持しつつ特別始動口５５まで案内する特別始動口装置５６を備えていた（例えば特許文献１、図３参照）。
【０００４】
或いは、図１１のように、入賞ケース５４の下端部に遊技球の出口５７を形成し、誘導体５１が矢印Ｆの向きに回動するのに伴って遊技球を停留部５２から誘導体５１に導入すると共に出口５７から排出する停留案内装置５８と、停留案内装置５８の出口５７から２列に配設した遊技釘５９の間を通って遊技球が入賞する特別始動口としての入賞口装置６０とで構成した特別始動口装置６１を備えたものもあった（例えば特許文献１、図７参照）。
【０００５】
一般に、弾球遊技機の製造メーカは、弾球遊技機の出荷前に各遊技部品が正常に動作するか否かを確認するため、種々の検査を実施している。このような検査の１つに、入賞口装置（例えば図５の特別始動口装置１、特別装置３６、第１普通入賞口装置３７、第２普通入賞口装置３８及び大入賞口装置４０など）へ遊技球を投入して、弾球遊技機の各種遊技部品（例えば図４の音声出力装置３１、図５の液晶表示装置３４及び電飾装置４１、図６の払出し装置４２など）が所期の動作を行なうか否かを確認する作業がある。
【０００６】
例えば、図１０の特別始動口装置５６では、特別始動口５５へ遊技球を入れるために、連続的に回転する誘導体５１の切欠き部５３が特別始動口５５と対応する位置に到達するタイミングを見計らって特別始動口装置５６の前面側から切欠き部５３を介して特別始動口５５へ遊技球を直接投入したり、停留部５２に予め遊技球を置いておき誘導体５１の回転により遊技球を特別始動口５５へ入賞させたり、或いは誘導体５１の任意の回転角度でその前面側から切欠き部５３に遊技球を入れて誘導体５１の回転により遊技球を特別始動口５５へ入賞させていた。
【０００７】
これに対し、図１１の特別始動口装置６１は、誘導体５１の回転角度に関係なく、いつでも遊技球を特別始動口６０に投入できる構成になっていた。
【０００８】
【特許文献１】
特開平１１−２９０５１６号公報（第３図及び第７図）
【０００９】
【発明が解決しようとする課題】
【００１０】
上記の如く、図１０の特別始動口装置５６は、特別始動口５５への入賞に基づく前記遊技部品の動作確認をするに際し、誘導体５１が所定角度回転するのを待たないと、特別始動口５５に遊技球を入れることができなかったので、確認作業の効率が悪かった。
【００１１】
一方、図１１の特別始動口装置６１は、特別始動口としての入賞口装置６０と、遊技球を所定の周期で入賞口装置６０へ案内する停留案内装置５８とを別体に構成しているので、特別始動口装置６１の前側から入賞口装置６０へ遊技球を直接投入でき、上述した問題は生じない。しかし、停留案内装置５８と入賞口装置６０に分割した分だけ部品点数が多くなるために遊技盤への取付けに手間がかかり、しかも構成部品５８，６０を別々に製造する必要があるから製造コストが嵩むという問題や、遊技釘５９及び入賞口装置６０の分だけ特別始動口装置６１が縦長になり、遊技領域が制約されるといった問題があった。
【００１２】
本発明はかかる課題に鑑み創案するに至ったものであって、その目的は、製造コストや遊技盤面への取付けの手間がかからないように一体に構成すると共に特別始動口への入賞に基づく動作確認を容易に実施できる特別始動口装置を備えた弾球遊技機を提供することにある。
【００１３】
【課題を解決するための手段】
本発明の弾球遊技機は、大入賞口装置が作動可能な利益状態において、特別始動口装置の遊技球検出結果に基づき前記大入賞口装置を作動させ、遊技球が前記大入賞口装置へ入賞し易い状態を所定期間生ぜしめる弾球遊技機において、前記特別始動口装置を、外周部に遊技球が通る入口を設けた入賞ケースと、前記入賞ケースの内側で前記入口に隣接して回動する誘導体とで構成すると共に、前記入賞ケースの内側領域であって前記誘導体の半径方向外側領域に遊技球が入る特別始動口を露出開口させ、前記誘導体で受止めた遊技球を前記誘導体の回動により前記特別始動口まで誘導することを特徴としている。
【００１４】
本発明の上記構成によれば、前記特別始動口装置が、１つの遊技部品として構成されているので、製造コストや遊技盤への取付け作業の手間がかからず、しかも前記特別始動口装置の前面側に前記特別始動口が露出しているので、前記誘導体の動作に関係なく遊技盤の前方から前記特別始動口へ遊技球を投入でき、弾球遊技機の出荷前に特別始動口への入賞に基づく動作確認を実施することが容易になる。
【００１５】
特別始動口装置の具体的な構成としては、前記入口を前記入賞ケースの上部に形成すると共に、前記特別始動口を前記入賞ケースの内側領域下部又は前記入賞ケースの内側領域であって前記誘導体の側方に形成することが挙げられ、前記入口から入った遊技球を前記誘導体で受止めて前記誘導体の回動により前記特別始動口直上位置又は側方位置まで誘導する。このように前記特別始動口を前記入賞ケースの内側領域下部又は中間部で、かつ、前記誘導体の半径方向外側領域に形成すると、前記特別始動口装置の前面側に特別始動口を露出させることができる。
【００１６】
また、前記特別始動口が前記誘導体の外周部に臨んで上向き開口したものである場合、前記特別始動口と前記誘導体の間に遊技球の直径とほぼ等しい間隔を設けることが挙げられる。かかる場合、前記特別始動口と前記誘導体の間隔は、遊技球の直径より長ければ十分であるが、前記特別始動口装置の小型化を図るという観点では、遊技球の直径とほぼ等しくすることが最も好ましい。
【００１７】
【発明の実施の形態】
以下、図面を参照しつつ本発明の実施形態について説明する。なお、本実施形態では、弾球遊技機として第３種パチンコ機を用いることとする。
【００１８】
図１乃至図３は、本発明の第１実施形態に係る弾球遊技機の主要部である特別始動口装置１を例示しており、図１において、２は遊技盤３の前面側から突設された入賞ケース２である。この入賞ケース２の内側に誘導体４を回動自在に装着し、この誘導体４の裏側に隠れないようにその下方に前方開口の特別始動口５を形成している。そして遊技球６（以下、単に「遊技球」と称する。）を遊技盤３の前面側から特別始動口５へ直接投入できるようになっている。
【００１９】
また、特別始動口装置１は、図２のように、前端部に入賞ケース２を着脱自在に装着し、かつ、遊技盤３に埋設して特別始動口５に入球した遊技球を遊技盤３の裏側まで案内する球通路７を有する装置本体８と、装置本体８の後端部に取付けられ誘導体４を回転させる駆動手段としての電動モータ９と、球通路７の所定箇所に取付けられ遊技球が通過したことを検出する検出手段としての近接スイッチ１０とを備えている。
【００２０】
以下、特別始動口装置１の各構成要素（入賞ケース２、誘導体４、装置本体８、電動モータ９、近接スイッチ１０）について詳述する。
【００２１】
入賞ケース２は、図１乃至図３のように、遊技盤３の表面を構成する平板部１１に、誘導体４に接続する駆動軸１２の軸受部となる軸孔１３及び前方開口の特別始動口５を形成し、かつ、平板部１１に装着した誘導体４及びその下方の特別始動口５を囲繞するように枠部１４を突出形成した部材である。枠部１４の上部には入口１５が形成されている。入口１５の幅Ｗは、遊技球の直径をＤ１とすると、例えばＤ１＜Ｗ＜２Ｄ１の範囲である。また、枠部１４の前面側には、遊技の演出その他の用途に供する電飾装置としての複数のＬＥＤ１６（一部にのみ符号を付す。）が特別始動口５を取り囲むように配設されている。このＬＥＤ１６は、例えば利益状態において、点灯箇所を誘導体４の回転方向に順次移動させることにより、誘導体４の回転角度（後述する誘導体４の入出口１７の位置）を遊技者に報知することができる。
【００２２】
誘導体４は、図１のように、内径が遊技球の直径とほぼ等しい有底円筒体の外周面の一部を切り欠いて遊技球の入出口１７を形成した部材で、その背面側の中心部には駆動軸１２を接続し、例えば矢印Ａの如く半時計回りに回動するようになっている。この誘導体４は、入賞ケース２の入口１５に隣接して装着され、その外周面と入賞ケース２の入口１５とで遊技球を一時的に停留可能な停留部１８を構成している。なお、誘導体４の内径をＤ２とすると、内径Ｄ２はＤ１≦Ｄ２の範囲であれば十分であるが、特別始動口装置１の遊技盤から突出する入賞ケース２の小型化を図るためには、Ｄ１≒Ｄ２とするのが望ましい。また、図１では、誘導体４として有底円筒体状の部材を示したが、内部に遊技球を格納できれば前後両面側を閉塞した円筒体状の部材でもよい。
【００２３】
装置本体８は、図２乃至図３のように、前端部に入賞ケース２の取付け箇所となるフランジ部１９を有し、この前端部を除く大部分が遊技盤３に埋設される構造である。フランジ部１９には、複数のボス孔（図示略）を形成してあり、入賞ケース２の背面側から突設したボス２０を夫々前記ボス孔に挿嵌することにより入賞ケース２を装着するようになっている。また、装置本体８の左右両側部には、左右方向へ弾性変形可能な係止部２１が設けられ、遊技盤３に穿設した取付け孔２２に特別始動口装置１を挿し込むと、係止部２１とフランジ部１９の背面側上下部とで遊技盤３を挟み込んで固定するようになっている。一方、装置本体８の内部は、図２のように、中空状に形成され、その内底面が後端側へ向かって下方に傾斜した球通路７になっている。球通路７は、その前端側を入賞ケース２の特別始動口５と対応する位置に形成すると共に、出口２３を装置本体８の後端部近傍の下面側に設けてある。そして、特別始動口装置１を遊技盤３に装着すると、特別始動口５から入球した遊技球が、図２の矢印ａのように、球通路７を通って遊技盤３裏側の出口２３から排出されるようになっている。
【００２４】
電動モータ９は、前端部に誘導体４の背面側に接続する駆動軸１２を有し、誘導体４を所定速度若しくは可変速度で回転駆動する。可変速度で駆動する場合は図示外のモータ制御装置が付設される。
【００２５】
近接スイッチ１０は、球通路７の出口２３近傍に設置され、主制御装置２４（図６参照）と信号線を介して接続してある。そして、近接スイッチ１０が遊技球の通過を検出して当該検出信号を主制御装置２４へ送信すると、主制御装置２４は、遊技球が特別始動口５へ入賞したと認識するようになっている。
【００２６】
特別始動口装置１は、上記の如く、入賞ケース２の内側領域に前方開口の特別始動口５を設けたので、弾球遊技機の製造時に近接スイッチ１０の遊技球検出結果に基づく各種遊技部品の動作確認をするに際し、誘導体４の回転角度に関係なく、特別始動口５へ遊技球を投入することが可能になり、確認作業の効率を向上できる。また、誘導体４として、内径が遊技球の直径とほぼ等しい有底円筒体状の部材を使用することで、入賞ケース２の内側領域であって誘導体４の半径方向外側領域に特別始動口５を設けても、特別始動口装置１の上下左右方向の寸法を小さく形成でき、遊技盤３に穿設する取付け孔２２を小径に形成すると共に遊技領域３３（図５参照）における遊技球の落下経路を多様にすることができる。さらに、上下左右方向の寸法と比較して奥行きの長い構造になっているから、遊技盤３の前面側から挿入して装着することが容易である。
【００２７】
次に、図４乃至図６を参照しつつ上述した特別始動口装置１を備えた弾球遊技機についてパチンコ機を用いて説明する。
【００２８】
図４は、パチンコ機の正面図である。同図において、２５は前枠で、その窓孔の前側には、ガラス扉２６及び前面板２７を開閉自在に装着し、裏側から遊技盤３を着脱自在に取付けてある。前面板２７には遊技球貯留用の上皿２８を形成し、前枠２５の下部には下皿２９、遊技球の発射手段を構成する操作ハンドル３０及び音声出力装置としてのスピーカ３１を設けてある。
【００２９】
遊技盤３の前面には、図５のように、発射手段３０等により発射された遊技球を案内するガイドレール３２が設けられ、このガイドレール３２で囲まれた内側の領域が遊技領域３３となっている。遊技領域３３には、略中央の領域に液晶表示装置３４、普通始動口装置３５及び特別装置３６を縦列に配置し、左側の領域には第１普通入賞口装置３７、第２普通入賞口装置３８及び遊技球の吐出口３９を、右側の領域には特別始動口装置１及び大入賞口装置４０を配置してある。また、前枠２５や遊技盤３、或いは遊技盤面上の各種遊技部品３４等には、適宜、電飾装置としてのＬＥＤ４１を設けてある。
【００３０】
液晶表示装置３４は、遊技に関する情報を遊技者に報知するための手段である。例えば普通始動口装置３５への入球に基づき特別装置３６を作動させるか否かの判定結果を、図示の如く「１・２・３」など、３つの判定図柄の組合せで表示したり、その確定表示に至る変動過程を表示したりする判定図柄変動表示手段や、遊技球が判定図柄の変動中に普通始動口装置３５へ入球した場合に上記判定結果の保留数（例えば最大４個）を遊技者に報知する保留数表示手段などとして機能する。なお、液晶表示装置３４は、上記の手段に限らず、他の手段にも適用可能であるが、他の手段については周知であるから詳しい説明を割愛する。
【００３１】
普通始動口装置３５は、図示外の復帰通路を介して吐出口３９と連通しており、前記復帰通路に設けた図示外の検出手段（上記の近接スイッチ１０と同様の部材）により遊技球の入球を検出するようになっている。また、吐出口３９の下方には第２普通入賞口装置３８を設けてあり、普通始動口装置３５に入球した遊技球は、前記復帰通路を通って吐出口３９から再び遊技領域３３へ戻され、第２普通入賞口装置３８へ向かって落下する。
【００３２】
特別装置３６は、ソレノイド等により開閉自在に構成され、液晶表示装置３４が判定図柄の組合せ（例えば「７・７・７」など）を表示した後、所定期間（例えば６秒間）作動する。特別装置３６の内部には、いわゆるＶゾーンと呼ばれる特別装置作動領域と非作動領域（いずれも図示を省略する。）を設けてあり、この特別装置作動領域を遊技球が通過すると遊技者に有利な利益状態が発生する。
【００３３】
特別始動口装置１は、上記の如く、誘導体４が所定速度で回転しており、停留部１８に留まって入出口１７が上部に到達したときに誘導体４に導入された遊技球又は入出口１７が上部に到達したときに入賞ケース２の入口１５から直接誘導体４に入球した遊技球を特別始動口５まで案内する手段である。また、通常状態においては、第１普通入賞口装置３７及び第２普通入賞口装置３８と同様の入賞口装置として機能する一方、利益状態では、近接スイッチ１０の検出結果に基づき大入賞口装置４０を作動させるための作動スイッチとして機能する。
【００３４】
大入賞口装置４０は、ソレノイド等により開閉自在に構成され、利益状態において、特別始動口装置１の近接スイッチ１０が遊技球を検出することを条件に作動し、作動開始から所定期間（例えば９．８秒）経過するか、或いは所定数（例えば１０個）の遊技球が入賞した段階で閉塞する。この作動から閉塞までの一連の動作を所定回数（例えば１５回）繰り返すと、利益状態が終了して通常状態に戻る。通常状態においては、特別始動口装置１の近接スイッチ１０が遊技球を検出しても作動しなくなる。
【００３５】
また、図６はパチンコ機の背面図で、遊技盤３の裏側には、種々の制御装置２４等や払出し装置４２、発射手段を構成する電動モータ４３などが配設されている。制御装置としては、主制御装置２４のほか、遊技盤３に取付けた液晶表示装置３４の裏側に設けられ主制御装置２４の裏側に隠れている液晶制御装置４４や、主制御装置２４の下方に並設された音声制御装置４５及び電飾制御装置４６、電動モータ４３近傍の発射制御装置４７、払出し装置４２近傍の払出し制御装置４８などが適宜配設してある。
【００３６】
主制御装置２４は、普通始動口装置３５に遊技球が入球すると、特別装置３６を作動させるか否かを判定すると共に当該判定結果に基づき前記液晶制御装置、音声制御装置４５及び電飾制御装置４６に所定の制御信号を送信し、かつ、第１普通入賞口装置３７、第２普通入賞口装置３８、特別始動口装置１、特別装置３６又は大入賞口装置４０へ遊技球が入賞すると、払出し制御装置４８へ所定の制御信号を送信する。また、特別装置３６を作動させる旨の判定を下した場合には、特別装置３６を所定期間作動させると共に前記特別装置作動領域を遊技球が通過したことに基づき遊技状態を通常状態から利益状態へと変更する。利益状態では、特別始動口装置１への入賞に基づき、払出し制御装置４８への制御信号の送信と大入賞口装置４０作動用のスイッチを所定期間（例えば９．８秒間）ＯＮにする制御信号を図示外のソレノイドへ送信する。そして、大入賞口装置４０が所定回数（例えば１５回）作動すると、遊技状態を通常状態に戻す。
【００３７】
液晶制御装置４４、音声制御装置４５及び電飾制御装置４６（以下、副制御装置という。）は、主制御装置２４からの制御信号に基づき液晶表示装置３４、音声出力装置３１及びＬＥＤ１６，４１（以下、制御対象物という。）が遊技状態に応じた動作を行なうように制御する手段である。ここでは、便宜上、特別始動口装置１に関連した副制御装置による制御対象物の動作制御についてのみ説明する。特別始動口装置１は、上記の如く、遊技球の入賞間隔が所定の周期（例えば１０ｎ秒（ｎは正の整数））になっているから、通常の遊技、即ちガラス扉２６を閉じて遊技盤３の前方から遊技球を投入できない状態では、特別始動口装置１の近接スイッチ１０の検出結果が得られる時間帯域の予測が可能である。仮に近接スイッチ１０の検出結果が誘導体４の回転周期（例えば１０秒）よりも短い時間間隔で得られたならば、特別始動口装置１の入賞ケース２や誘導体４などが破損しているか、或いはガラス扉２６を開けて遊技盤３の前面から多数の遊技球を投入しているおそれがある。そこで、特別始動口装置１へ入賞したタイミングの正否判定手段を主制御装置２４に付加することが考えられる。この正否判定手段は、例えば特別始動口装置１への入賞が所定の時間間隔（例えば１０秒間隔）よりも短い時間間隔で所定数（例えば６個）以上得られた場合に、異常事態と判定するものである。ここで、遊技球の入賞数が所定数（例えば５個）以下であるときは、パチンコ機の出荷前に実施する特別始動口装置１の動作確認（入賞による払出しの確認）や、球詰まりなどで遊技を中断させられた遊技者に対して遊技店側のサービスでガラス扉２６を開けて遊技球を投入することが想定できるため、異常事態の要件から除外している。このように主制御装置２４が、特別始動口装置１へ入賞したタイミングの正否を判定すると共に該正否判定結果を副制御装置へ送信し、副制御装置に予め記憶している異常報知プログラムに基づき所定の制御対象物で異常事態を報知する。具体的には、異常事態が発生した旨を液晶表示装置３４に表示したり、ブザー又は音声を発したり、ＬＥＤを点灯又は点滅させることで異常事態を報知する。
【００３８】
本発明に係る弾球遊技機は上記の如く構成され、従来例を示す図１１の特別始動口装置６１のように、誘導体４の動作に関係なく前方から遊技球を投入可能な特別始動口装置１を備えているので、出荷前に実施する特別始動口装置１の動作確認の手間を軽減することができる。弾球遊技機の動作確認は、例えば遊技盤３に遊技部品を取付けた後で、かつ、前枠２５に遊技盤３を取付ける前に実施し、普通始動口装置３５へ遊技球を投入して液晶表示装置３４の動作確認を行なうと共に各種入賞口装置１，３６，３７，３８，４０へ遊技球を投入して遊技球の払出しが正常に行なわれるかを確認する。
【００３９】
また、図１１のように、複数の遊技部品５８，６０を組合せて構成するのではなく、従来例を示す図１０の特別始動口装置５６のように、１つの遊技部品で構成しているので、特別始動口装置１を遊技盤３に取付ける作業に手間がかからず、しかも複数の遊技部品を組合せて構成したものと比較して製造コストの低減化を実現できる。
【００４０】
以上、本発明の一実施形態につき説明したが、本発明は上記実施形態に限定されることなく種々の変形が可能であって、例えば図７のように、入賞ケース２の内側領域の前方開口部分に適宜な意匠を施したカバー４９を着脱自在に取付けることも可能である。この場合、弾球遊技機の出荷前にカバー４９を取り外して遊技部品の動作確認を実施し、動作確認後にカバー４９を装着して弾球遊技機の意匠上の自由度を増大させるができる。また、カバー４９は、外周部の一部を枠部１４に開閉自在に枢着し、入賞ケース２と一体に構成してもよい。
【００４１】
また、図７の特別始動口装置１は、カバー４９を取付けると共に誘導体４及び電動モータ９を取り外すことで、第１及び第２普通入賞口装置３７，３８、普通始動口装置３５など、他の遊技部品として使用することもできる。
【００４２】
また、上記実施形態では、誘導体４の真下に特別始動口５を配置しているから、特別始動口５の中心部を誘導体４の軸心位置よりも下側に位置させておけば、遊技球を誘導体４から特別始動口５へ導入することが可能である。一方、特別始動口５は、誘導体４の軸心位置から斜め上方に形成することも可能であり、例えば図８のように、外周面に遊技球を格納可能な切欠き部１７’を形成し、かつ、切欠き部１７’を誘導体４の回転方向前側に向けて広く形成することにより、切欠き部１７’から特別始動口５へ遊技球を誘導することが可能になる。また、このように切欠き部１７’を一方側に広げて形成しておくことで、誘導体４と入賞ケース２との間に遊技球が挟まるのを防止できる作用も得られる。
【００４３】
また、入賞ケース２の入口１５は上部に限らず、側部に形成することも可能である。
【００４４】
また、上記実施形態では、誘導体４として遊技盤面と平行で、かつ、横軸回転するものを例示したが、遊技盤面と直交して装着され、かつ、縦軸回転又は横軸回転するものであってもよい。また、誘導体４を遊技盤面と直交して装着した場合、遊技球を格納しつつ特別始動口５へ案内するほか、誘導体４の外周部に装着した磁石で遊技球を保持しつつ案内することも可能である。
【００４５】
また、上記実施形態では、前方に開口した特別始動口５を挙げて説明したが、特別始動口５としては、図５の普通始動口装置３５や第２普通入賞口装置３８など上方に開口したものでもよく、この場合には、例えば図９の如く特別始動口５と誘導体４との間に少なくとも遊技球１個分の間隔を空けておくことで、誘導体４の回転角度に関係なく遊技球を特別始動口５へ投入することが可能になる。
【００４６】
図１及び図７乃至図９では、誘導体４が矢印Ａ〜Ｄの如く半時計回りに回動するようになっているが、矢印Ａ〜Ｄとは逆向きの時計回りや双方向に回動させることも可能である。
【００４７】
なお、上記実施形態では、いわゆる第３種パチンコ機を用いて説明したが、例えば本発明をアレンジボール機に適用することも可能である。具体的には、上記の特別始動口装置１を、いわゆる得点増加装置と呼ばれる可動式入球口装置の作動スイッチとして使用することが考えられる。
【００４８】
【発明の効果】
本発明は前述の如く、特別始動口装置の前面側に特別始動口を露出開口させたので、誘導体の動作に関係なく特別始動口へ遊技球を投入でき、弾球遊技機の出荷前に実施する特別始動口装置の動作確認の手間を軽減することができる。また、特別始動口装置を１つの遊技部品として構成しているので、遊技盤に取付ける作業に手間がかからず、しかも複数の遊技部品を組合せて構成したものと比較して製造コストの低減化を実現できる。
【図面の簡単な説明】
【図１】本発明に係る弾球遊技機の主要部である特別始動口装置の正面図である。
【図２】特別始動口装置の側面図である。
【図３】特別始動口装置の底面図である。
【図４】弾球遊技機の正面図である。
【図５】遊技盤の正面図である。
【図６】弾球遊技機の背面図である。
【図７】本発明の変形例を示す特別始動口装置の正面図である。
【図８】本発明の変形例を示す特別始動口装置の正面図である。
【図９】本発明の変形例を示す特別始動口装置の正面図である。
【図１０】従来の弾球遊技機が備えている特別始動口装置を示す正面図である。
【図１１】従来の弾球遊技機が備えている特別始動口装置を示す正面図である。
【符号の説明】
１        特別始動口装置
２        入賞ケース
３        遊技盤
４        誘導体
５        特別始動口
１５    入口
１７    入出口
１８    停留部
３５    普通始動口装置
３６    特別装置
４０    大入賞口装置
【図１】
2004181007.tif 000003
【図２】
2004181007.tif 000004
【図３】
2004181007.tif 000005
【図４】
2004181007.tif 000006
【図５】
2004181007.tif 000007
【図６】
2004181007.tif 000008
【図７】
2004181007.tif 000009
【図８】
2004181007.tif 000010
【図９】
2004181007.tif 000011
【図１０】
2004181007.tif 000012
【図１１】
2004181007.tif 000013